(57)【要約】【課題】  従来技術は、専用のブリスターパック（パッケージ）で、セキュリティタグとブリスターパックを一体にしてなるものである。また、他の従来技術も上側タスキ部・下側タスキ部・側タスキ部等、構造が複雑で、取付にも時間が掛かり、実用的ではない。【解決手段】  商品陳列用のフックに吊り下げられるフイルムパッケージ商品の盗難を防止するもので、フイルムパッケージの取付部に着脱自在に取り付けるべく、前後に作動可能な通孔を穿設した固定板と、共振体を内設すると共に、通孔に連通する挿入孔を穿設した防止具本体とからなり、少なくとも防止具本体内側に、フイルムパッケージ案内部を設けたことを特徴とする。【選択図】図１
2019188111.tif 000002
【特許請求の範囲】
【請求項１】
商品陳列用のフックに吊り下げられるフイルムパッケージ商品の盗難を防止するもので、フイルムパッケージの取付部に着脱自在に取り付けるべく、前後に作動可能な通孔を穿設した固定板と、共振体を内設すると共に、通孔に連通する連通孔を穿設した防止具本体とからなり、少なくとも防止具本体内側に、フイルムパッケージ案内部を設けたことを特徴とするフイルムパッケージ用盗難防止具。
【請求項２】
前記固定板あるいは前記防止具本体に、フイルムパッケージを挟持固定すべく係止部を設け、この係止部に出入りする係止具を前記防止具本体あるいは前記固定板に設けてなることを特徴とする請求項１記載のフイルムパッケージ用盗難防止具。
【請求項３】
前記フイルムパッケージ案内部の近傍位置に、フイルムパッケーを押圧する押圧部を設けてなることを特徴とする請求項１又は２記載のフイルムパッケージ用盗難防止具。
【請求項４】
前記係止具が、鉄製であることを特徴とする請求項２記載のフイルムパッケージ用盗難防止具。
【請求項５】
前記係止具を作動させる磁石からなる解除具を設けてなることを特徴とする請求項１、２、３又は４記載のフイルムパッケージ用盗難防止具。
【請求項６】
前記フイルムパッケージ案内部に対応すべくフイルムパッケージ本体に取付部を設けると共に、フイルムパッケージ本体に取付孔を設けてなり、商品を上方から入れることを特徴とするフイルムパッケージ。
【発明の詳細な説明】
【技術分野】
【０００１】  本発明は、商品陳列用のフックに吊り下げるフイルムパッケージ商品の吊下孔を利用して盗難を防止するフイルムパッケージ用盗難防止具及びフイルムパッケージに関するものである。
【背景技術】
【０００２】  従来技術として、非導電層であって、各要素を保持する区画であって実質的に前記非導電層の中央領域内に配置された区画を複数備え、前記中央領域内を囲むマージン領域を通る少なくとも１つのチャンネル溝をさらに備えた非導電層と、前記複数の区画内に前記要素を固定するために前記中央領域内の上にシールされた金属層と、前記少なくとも１つのチャンネル溝内に配置されたセキュリティタグとを備えたブリスターパックがある。（特許文献１参照）【０００３】  別の従来の技術として、盗難防止装置は、商品包装体に掛け渡される索条と、防犯タグを設けた緊締装置を有する。索条に設けた上部固定具と下部固定具は、上縁部抱持する。索条は、上側タスキ部を上部固定具と両側縁部を掛け渡し、下側タスキ部を下部固定具と両側縁部を掛け渡し、商品包装体の裏面上で連結部により連結し、側タスキ部と下側タスキ部の一方から商品包装体の裏面上を延びる自由端部を緊締装置により緊締する。緊締装置は、緊締手段をロックする施錠手段を設けており、解錠キーで解錠したとき緊締手段がアンロックするものがある。（特許文献２参照）
なお、一般に市販されているフイルムパッケージとしてはヘッダー袋と言われるもので、下方から商品を入れる時にフイルムを剥して蓋をしなければならず、かつ、下側から商品を抜き取られる等の問題がある。
【先行技術文献】
【特許文献】
【０００４】
【特許文献１】特開２００９−５１５７９５号公報
【特許文献２】特開２０１２−３８１４０号公報
【発明の概要】
【発明が解決しようとする課題】
【０００５】  上記前者は、専用のブリスターパック（パッケージ）で、セキュリティタグとブリスターパックを一体にしてなるものである。【０００６】  また、上記後者においては、上側タスキ部・下側タスキ部・側タスキ部等、構造が複雑で、取付にも時間が掛かり、実用的ではない。【０００７】  本発明は、このような従来の構成が有していた問題を解決しようとするものであり、フイルムパッケージ商品の吊下孔に着脱自在に取り付けられるもので、シンプルな形状で取付が簡単で、強力磁石でセキュリティ効果が高く、かつ専用のフイルムパッケージを使用することにより、より一層セキュリティ効果が高いフイルムパッケージ用盗難防止具及びフイルムパッケージを提供することを目的とする。
【課題を解決するための手段】
【０００８】  本発明は、上記目的を達成するため、商品陳列用のフックに吊り下げられるフイルムパッケージ商品の盗難を防止するもので、フイルムパッケージの取付部に着脱自在に取り付けるべく、前後に作動可能な通孔を穿設した固定板と、共振体を内設すると共に、通孔に連通する挿入孔を穿設した防止具本体とからなり、少なくとも防止具本体内側に、フイルムパッケージ案内部を設けたこと。前記固定板あるいは前記防止具本体に、フイルムパッケージを挟持固定すべく係止部を設け、この係止部に出入りする係止具を前記防止具本体あるいは前記固定板に設けてなること。前記フイルムパッケージ案内部の近傍位置に、フイルムパッケージを押圧する押圧部を設けてなること。前記係止具が、鉄製であること。前記係止具を作動させる磁石からなる解除具を設けてなること。フイルムパッケージとして、前記フイルムパッケージ案内部に対応すべくフイルムパッケージ本体に取付部を設けると共に、フイルムパッケージ本体に取付孔を設けてなり、商品を上方より入れるものである。
【発明の効果】
【０００９】１）、専用のフイルムパッケージ商品の取付部（取付孔）に、着脱自在に装着することができるもので、固定板の通孔と防止具本体の挿入孔を連通させることにより、取付が簡単で、かつ、商品陳列用のフックに取り付けたまま挿入して陳列できる。
２）、固定板と共振体を内設した防止具本体とを軸支にて開閉自在に構成することにより、シンプルな構造であり、邪魔にならない。
３）、フイルムパッケージ用盗難防止具を専用のフイルムパッケージ商品から外す時は、強力磁石にて係止具を移動させることにより係止部よりロックが外れ、取り外すことができる。
４）、フイルムパッケージ案内部を設けることにより、専用のフイルムパッケージ（取付部・取付孔）のみ取り付けることができ、一層セキュリティ効果が高い。
５）、押圧部により、専用のフイルムパッケージをより強固に取り付けることができる。
６）、専用のフイルムパッケージにより、一般に市販されているパッケージは使用できず、ビジネスチャンスが高い。
７）、係止部にた、フイルムパッケージの取付孔を係止固定出来るため、より強固に取り付けることができる
８）、フイルムパッケージの上方より商品を入れた後上部を固定するという簡単な作業であり、かつ、下方から商品を抜き取られることがない。
【図面の簡単な説明】
【００１０】
【図１】  本発明のフイルムパッケージ用盗難防止具の開口斜視図。
【図２】  本発明のフイルムパッケージ用盗難防止具の係止部の一部縦断面図。
【図３】  本発明のフイルムパッケージ用盗難防止具の側面図。
【図４】  本発明のフイルムパッケージ用盗難防止具に使用する第１実施例のフイルムパッケージの正面図。
【図５】  本発明のフイルムパッケージ用盗難防止具に使用する第２実施例のフイルムパッケージの正面図。
【図６】  本発明のフイルムパッケージ用盗難防止具にフイルムパッケージを取り付ける斜視図。
【図７】  本発明の第１実施例を示すフイルムパッケージ用盗難防止具にフイルムパッケージを取り付けフックにて陳列した状態図。
【図８】  本発明の第１実施例を示すフイルムパッケージ用盗難防止具のフイルムパッケージ用盗難防止具からフイルムパッケージを取り外すべく係止部に磁石を近づけた状態図。
【図９】  本発明の第２実施例のフイルムパッケージ用盗難防止具の開口斜視図。
【図１０】  本発明の第２実施例のフイルムパッケージ用盗難防止具に使用する第３実施例のフイルムパッケージの正面図。
【図１１】  本発明の第３実施例のフイルムパッケージ用盗難防止具の開口斜視図。
【図１２】  本発明の第３実施例のフイルムパッケージ用盗難防止具に使用する第４実施例のフイルムパッケージの正面図。
【発明を実施するための形態】
【００１１】  第１実施例のフイルムパッケージ用盗難防止具について説明する。
１は、商品陳列用のフックに吊り下げられる後述する専用のフイルムパッケージ（商品）の盗難を防止するフイルムパッケージ用盗難防止具である。
２は、専用のフイルムパッケージ（商品）の吊下孔に着脱自在に取り付けるべく、前後に作動可能な通孔２ａを穿設すると共に、専用のフイルムパッケージ（商品）に挟持固定すべく、固定板本体２Ａの係止孔２ｂ２を穿設した係止片２ｂ１と、内側上部両側に専用のフイルムパッケージの上部を押圧する押圧凸片２ｃ１を設ける固定板であり、上部を軸支２ｄしてある。
３は、共振体４を内設すると共に、通孔２ａに連通する連通孔３ａを設け、前記係止片２ｂ１と挿入孔２ｂ３により係止部２ｂを構成し、挿入孔２ｂ３に出入りする係止ピン３ｂ１（鉄製）と圧縮スプリング３ｂ２とからなる係止具３ｂを下部中央に設けてある防止具本体で、カバー３ｃにて保護してあり、前記押圧凸片２ｃ１に対応する押圧凹部２ｃ２にて押圧部２ｃを形成してある。また、内側上部に段差状（幅ＨＢ・深さＦＳ）のフイルムパッケージ案内部３ｄを設けてある。なお、必要に応じてガイドピン３ｅ及びガイド孔３ｆを３箇所設ける。（図１・図２・図３）
【００１２】  つぎに、専用のフイルムパッケージについて説明する。
第１実施例のフイルムパッケージＦＰは、フイルムパッケージ本体ＰＨの上面中央から下方に向かって幅Ｈをフイルムパッケージ案内部３ｄの幅ＨＢより多少大きめにし、深さＦＫを深さＦＳより多少大きくし、連通孔３ａに対応する円弧溝ＲＭを形成した取付部Ｔを設けると共に、挿入孔２ｂ３と連通孔３ａ（係止具３ｂ）に対応する縦長孔状の取付孔ＴＫを設けてなるものであり、両側に案内片ＴＨを形成してあり、上方より商品を入れるものである。（他の実施例も同様である）（図４）
【００１３】  つづいて、第２実施例のフイルムパッケージについて説明する。
フイルムパッケージＦＰ１は、フイルムパッケージ本体ＰＨ１の上部中央に下方に向かって、幅Ｈ１をフイルムパッケージ案内部３ｄの幅ＨＢより多少大きめにし、深さＦＫ１をフイルムパッケージ案内部３ｄの深さＦＳより多少深くしてなると共に円弧溝ＲＭ１を形成した取付部Ｔ１も設けてある。
また、取付部Ｔ１の下方に、挿入孔２ｂ３と連通孔３ａ（係止具３ｂ）に対応する縦長孔状の取付孔ＴＫ１を設けると共に、両側に突状の案内片ＴＨ１を形成してある。（図５）
【００１４】  フイルムパッケージ用盗難防止具１とフイルムパッケージＦＰの使用例について説明する。
フイルムパッケージ用盗難防止具１を開いた状態で、フイルムパッケージＦＰの取付部Ｔをフイルムパッケージ案内部３ｄに装着すると共に、取付孔ＴＫを挿入孔２ｂ３と係止孔３ｂに装着する。
この時、フイルムパッケージ案内部３ｄの両側に案内片ＴＨ・ＴＨを位置させる。
この状態で、固定板本体２Ａを内側に回転（折り畳む）させることにより、係止片２ｂ１が挿入孔２ｂ３に入り込み、係止孔２ｂ２に係止具３ｂの係止ピン３ｂ１が圧縮スプリング３ｂ２に押され、入り込み固定される。（この時、係止部２ｂにて取付孔ＴＫを係止固定できる。）
同時に、フイルムパッケージＦＰの円弧溝ＲＭ１の両側が押圧凸片２ｃ１と押圧凹片２ｃ２に押圧され、固定される。（図６）
このように、フイルムパッケージ用盗難防止具１にセットされたフイルムパッケージＦＰを商品陳列用のフックＦＫを通孔２ａと連通孔３ａに通して陳列販売するものである。（図７）
【００１５】  なお、商品が売れてレジ（図示せず）にてフイルムパッケージ用盗難防止具１からフイルムパッケージＦＰ（図示せず）を取り外す時は、フイルムパッケージ用盗難防止具１の係止具３ｂに磁石（強力な）Ｇを近づけることにより圧縮スプリング３ｂ２が引き寄せられ、係止ピン３ｂ１が後退し、係止片２ｂ１の係止孔２ｂ２から外れ、固定板２を開口することにより、フイルムパッケージＦＰを取り外し、お客様に渡すものであり、フイルムパッケージ用盗難防止具１は再利用するものである。（図８）
【００１６】  また、フイルムパッケージＦＰ１の場合は、フイルムパッケージＦＰと同様にフイルムパッケージ用盗難防止具１に取り付けるが、フイルムパッケージ案内部３ｄに取付部Ｔ１に装着し、挿入孔２ｂ３と係止具３ｂの前面に取付孔ＴＫ１が位置する。
このような状態で使用するものである。
【００１７】  つぎに、第２実施例のフイルムパッケージ用盗難防止具について説明する。
このフイルムパッケージ用盗難防止具２１は、第１実施例のフイルムパッケージ用盗難防止具１のフイルムパッケージ案内部３ｄを改良したもので、同様に押圧凸片２２ｃ１と押圧凹片２２ｃ２とからなる押圧部２２ｃを設け、固定板本体２２Ａと防止具本体２３の内側上部に半円弧状突片２３ｄ１と同形の半円弧状溝２３ｄ２によるフイルムパッケージ案内部２３ｄを設けてなるものである。（図９）
このフイルムパッケージ用盗難防止具２１に対応する第３実施例のフイルムパッケージＦＰ２は、半円弧状突片２３ｄ１に対応する取付部Ｔ２を、連通孔２３ａと係止具２３ｂ間に装着する取付孔ＴＫ２に設けてなるもので、使用例は前記使用例に準ずるものである。（図１０）
【００１８】  つづいて、第３実施例のフイルムパッケージ用盗難防止具について説明する。
このフイルムパッケージ用盗難防止具３１は、第２実施例の押圧具２２ｃをなくしたシンプルなものである。（図１１）
このフイルムパッケージ用盗難防止具３１に対応する代４実施例のフイルムパッケージＦＰ３は、前記と同形の取付部Ｔ３を、連通孔３３ａと同形の第１取付孔ＴＫ３を、係止具３３ｂと挿入孔３２ｂ３に装着する第２取付孔ＴＫ３を設けてなるものである。（図１２）
これは、取付孔ＴＫ３・ＴＫ４の２箇所に設けることにより、下方への引き抜き強度をアップさせてなるものである。
【００１９】  なお、上記各実施例における共振体は、例えば共振コイル等を使用するものである。
また、各部材の材質は特に限定するものではない。
さらに、フイルムパッケージにおいては、取付孔の形状等、同様な機能であれば他の形状も考えられる。
さらにまた、押圧部の位置は、同様な機能を有するものであれば、他の位置でもよい。
【符号の説明】
【００１８】１―――フイルムパッケージ用盗難防止具
２―――固定板
３―――防止具本体
４―――共振体
ＦＰ――フイルムパッケージ
【図１】
2019188111.tif 000003
【図２】
2019188111.tif 000004
【図３】
2019188111.tif 000005
【図４】
2019188111.tif 000006
【図５】
2019188111.tif 000007
【図６】
2019188111.tif 000008
【図７】
2019188111.tif 000009
【図８】
2019188111.tif 000010
【図９】
2019188111.tif 000011
【図１０】
2019188111.tif 000012
【図１１】
2019188111.tif 000013
【図１２】
2019188111.tif 000014